(57)【要約】【課題】  本発明は手提げ袋の両面に複数のポケットを設け、両脇のマチ部分にリバーシブルオープンファスナーを設けることにより手提げ袋兼用小物収納バッグを提供する。【解決手段】  手提げ袋の両面に複数のポケットを設けることにより小物類を小分けに収納でき、二つ折りにして両脇のマチ部分にリバーシブルオープンファスナーを設けることにより、リバーシブルで使える小物収納バッグと手提げ袋を兼用で使えることを特徴とする。【選択図】図８
2008104826.tif 000002
【特許請求の範囲】
【請求項１】
手提げ袋の両面に複数のポケットを設け、二つ折りにして両脇のマチ部分にファスナーを設けることにより、手提げ袋とリバーシブルで使える小物収納バッグを兼用で使えることを特徴とする手提げ袋兼用小物収納バッグ。
【発明の詳細な説明】
【技術分野】
【０００１】  本発明は、手提げ袋の両面に複数のポケットを設け、二つ折りにして両脇のマチ部分にファスナーを設けることにより、手提げ袋とリバーシブルで使える小物収納バッグを兼用で使える手提げ袋兼用小物収納バッグに関するものである。
【背景技術】
【０００２】  従来、収納バッグは、バッグ内の小物を小分けにして取り出しやすく収納できるインナーバッグとして使用するものが多かったが、形状も袋型になっているため、リバーシブルで使用できるものが少なく、平面に広げることができても、たとえば、Ａ４サイズの書類等を入れて手提げ袋として使用することができなかった。
【発明の開示】
【発明が解決しようとする課題】
【０００３】（イ）バッグ内に入れる収納バッグとして使用することを目的とするものが多く、バッグから出して、そのまま手提げ袋として持ち歩くことができなかった。
（ロ）外出先でＡ４サイズのプリントや書類を持ち帰らなければならないとき、バッグ内にそのまま入れると折れたり汚れたりしてしまうなど収納に困っていた。
（ハ）プリントなどを布地の袋に入れると、雨の日などは濡れてしまう恐れがあった。
（ニ）外出先で荷物が多くなったとき、入れる物がなくて持ち歩くのに困っていた。
（ホ）収納ポケットが少ないバッグが多いため、小物類を小分けにして収納することが困難で、必要なものをすぐに見つけにくく取り出しにくかった。
（ヘ）バッグを替えるたびに、小物類を入れ替える煩わしさや入れ忘れる恐れがあった。
そこで、本発明は、手提げ袋として使用する状態と、袋を二つ折りにして小物収納バッグとして使用できる状態を提供することを目的とする。
【課題を解決するための手段】
【０００４】（イ）小物収納バッグの両脇のマチ部分にリバーシブルオープンファスナーを設け、小物収納バッグとして使用するときに裏表リバーシブルで使用できるようにした。
（ロ）手提げ袋の表片面と袋部内の両面にナイロン等の撥水布地を使用することにより、雨の日でも布地の中まで染み込まないよう工夫した。
（ハ）小物収納バッグをそのままアウトバッグとしても持ち歩けるように、手提げ袋の上部の片面に設けた一対の手提げ部が片寄らないようにホックを設け、調整できるようにした。
（ニ）手提げ袋本体の上部ポケット部にフックを設け、鍵等を付けられるようにした。
本発明は、以上のような構成によりなる手提げ袋兼用小物収納バッグである。
【発明の効果】
【０００５】（イ）バッグ内の小物類を複数のポケットに小分けにして収納できるので、取り出すときに探す手間がかからない。
（ロ）バッグを替えるたびに、小物類を入れ替える煩わしさや入れ忘れの心配がない。
（ハ）用途やバッグの色、デザインによって小物収納バッグもリバーシブルで使える。
（ニ）外出先で、たとえば、Ａ４サイズのプリントや書類等を持ち帰らなければならないとき、小物収納バッグ内の小物をバッグに移し、プリント等を手提げ袋に入れて折らずに汚さず持ち帰ることができる。
（ホ）手提げ袋の袋部内の両面に撥水効果のある布地を使用しているので、ペットボトル等を入れても外側まで水気が染み出さない。
本発明は以上の様な構成で、手提げ袋としての形状での使用と小物類を小分けして収納できそのまま持ち歩くことも出来る便利な手提げ袋兼用小物収納バッグである。
【発明を実施するための最良の形態】
【０００６】  以下、本発明の実施の形態について説明する。
（イ）手提げ袋本体（１）を二つ折りにし、両脇のマチ部分にリバーシブルオープンファスナー（１５）、（１６）を設けることにより、表地（１ａ）、表地（２ａ）をリバーシブルで使用できる。
（ロ）手提げ袋本体（１）の上部開口部の内側にホック（１８）をつけることにより収納したものが見えたり落ちたりすることを防ぐことができる。
（ハ）手提げ袋本体（１）の上部開口部の内側２ヵ所にホック（１９）、（２０）を設けることで、小物収納バッグを手提げバッグとしても使用できるよう手提げ部に安定感を持たせた。
（ニ）手提げ袋本体（１）の上部のポケット部にフック（１７）を設け鍵等をつけられることにより、落としたり置忘れや紛失する心配がない。
（ホ）手提げ袋の形態で持ち歩くときに、上部５ヵ所のポケット大（５）、ポケット大（６）、ポケット中（１２）、ポケット大（１３）、ポケット小（１４）に小物を収納できる。
（ヘ）手提げ袋本体（１）の表地（２ａ）、表地（１ａ）、裏地（１ｂ）をナイロン等の撥水効果のある布地を使用することにより、雨の日に収納したものを濡らす心配がない。
（ト）手提げ袋本体（１）の上部開口部の内側に一対の手提げヒモ（３）、（４）を設けることにより手提げ袋として持ち歩ける。
（チ）小物収納バッグとして使用するときに、手提げ袋本体（１）の両面に収納ポケット大（５）、ポケット大（６）、ポケット大（８）、ポケット大（１０）、ポケット大（１１）、ポケット大（１３）、ポケット中（７）、ポケット中（１２）、ポケット小（９）、ポケット小（１４）を設けることにより、小物類を小分けにして収納するのに便利である。
本発明は、上部が開口した袋状を呈する手提げ袋の両面に小物類を収納できるポケットを複数取り付け、その本体を二つ折りにして両脇のマチ部分にファスナーを取り付けることにより、手提げ袋としてだけでなく、バッグ内の小物収納バッグとしても使用でき、バッグから取り出してそのまま持ち歩くことも出来る。
【発明の効果】
【０００７】（イ）バッグ内の小物類を複数のポケットに小分けにして収納できるので、取り出すときに探す手間がかからない。
（ロ）バッグを替えるたびに、小物類を入れ替える煩わしさや入れ忘れの心配がない。
（ハ）用途やバッグの色、デザインによって小物収納バッグもリバーシブルで使える。
（ニ）外出先でＡ４サイズのプリントや書類等を持ち帰らなければならないとき、小物収納バッグ内の小物をバッグに移し、プリント等を手提げ袋に入れて折らずに汚さず持ち帰ることができる。
（ホ）手提げ袋の袋部内の両面に撥水効果のある布地を使用しているので、ペットボトル等を入れても外側まで水気が染み出さない。
本発明は以上の様な構成で、手提げ袋としての形状での使用と小物類を小分けして収納できそのまま持ち歩くことも出来る便利な手提げ袋兼用小物収納バッグである。
【図面の簡単な説明】
【０００８】
【図１】  本発明の正面図
【図２】  本発明の正面図
【図３】  本発明の正面図
【図４】  本発明の正面図
【図５】  本発明の斜視図
【図６】  本発明の斜視図
【図７】  本発明の斜視図
【図８】  本発明の斜視図
【図９】  本発明の側面図
【図１０】  本発明の側面図
【符号の説明】
【０００９】  １      手提げ袋本体
１ａ    小物収納バッグ本体の表地
１ｂ    小物収納バッグ本体の裏地
２ａ    小物収納バッグ本体の表地
２ｂ    小物収納バッグ本体の裏地
３      手提げヒモ
４      手提げヒモ
５      小物収納ポケット大
６      小物収納ポケット大
７      小物収納ポケット小
８      小物収納ポケット中
９      小物収納ポケット小
１０    小物収納ポケット大
１１    小物収納ポケット大
１２    小物収納ポケット小
１３    小物収納ポケット中
１４    小物収納ポケット小
１５    リバーシブルオープンファスナー
１６    リバーシブルオープンファスナー
１７    フック
１８    ホック
１９    ホック
２０    ホック
【図１】
2008104826.tif 000003
【図２】
2008104826.tif 000004
【図３】
2008104826.tif 000005
【図４】
2008104826.tif 000006
【図５】
2008104826.tif 000007
【図６】
2008104826.tif 000008
【図７】
2008104826.tif 000009
【図８】
2008104826.tif 000010
【図９】
2008104826.tif 000011
【図１０】
2008104826.tif 000012